(57)【要約】【課題】地金カードに基づく容易な貴金属の預け入れ、及び交換・売却システムを提供する。【解決手段】貴金属の預け入れは、預入装置により地金カード、会員識別情報の正否を判定し、判定が正の場合に会員口座に加算して記録し、貴金属の交換・売却は、交換・売却装置に入力された会員識別情報と、前記貴金属商に登録されている会員識別情報とを比較し、正と判定されたとき、前記貴金属商の会員口座に記録された貴金属の重量をその時の交換レートに基づいて現金化、又は仮想通貨に変換し、その分の貴金属の重量を会員口座から差し引くことを特徴とする。【選択図】図１
2018198859.tif 000002
【特許請求の範囲】
【請求項１】
遊技場の景品としての貴金属地金の小塊が組み込まれた地金カードを使用した貴金属の預け入れ、及び交換・売却システムであって、
前記貴金属の預け入れ、及び交換・売却は、前記遊技場が管理・運用する景品交換システムとは独立した形態で設けられた預入装置及び交換・売却装置のそれぞれに対して行われ、
前記貴金属の預け入れは、
前記預入装置の第１挿入口に地金カードを挿入し、第２挿入口に会員カードを挿入する第１のカード挿入段階と、
前記預入装置に対し会員識別情報を入力する第１の会員識別情報入力段階と、
挿入した地金カードの正否を前記預入装置内の真贋判定部により判定する第１判定段階と、
前記預入装置に入力された会員識別情報と、貴金属商サーバに登録されている会員識別情報とを比較して正否を判定する第２判定段階と、
前記第１判定段階、及び第２判定段階で正と判定されたとき、前記地金カードの貴金属の重量情報を前記貴金属商サーバに登録されている会員の会員口座に加算して、記録する加算段階と、
前記加算段階の後、前記地金カードを前記預入装置内のストック部に回収する地金カード回収段階と、
を有し、
前記貴金属の交換・売却は、
前記交換・売却装置の第３挿入口に前記会員カードを挿入する第２のカード挿入段階と、
前記交換・売却装置に対し前記会員識別情報を入力する第２の会員識別情報入力段階と、
前記交換・売却装置に入力された会員識別情報と、前記貴金属商サーバに登録されている会員識別情報とを比較して正否を判定する第３判定段階と、
前記第３判定段階で正と判定されたとき、前記貴金属商サーバの会員口座に記録された貴金属の重量をその時の交換レートに基づいて金額に換算する換算段階と、
換算された金額を前記交換・売却装置が表示する表示段階と、
前記表示された金額を現金に変換する第１の選択、又は電子マネー、ポイント、仮想通貨からなる疑似通貨媒体のいずれかの一つに変換する第２の選択の別を前記会員が前記交換・売却装置に入力する交換・売却選択段階と、
前記第１の選択がなされた後に希望する金額を前記会員が前記交換・売却装置に入力したとき、入力された金額を排出すると共に金額に該当する貴金属の重量を前記貴金属商サーバの会員口座から差し引く第１精算段階と、
前記第２の選択がなされたとき、前記疑似通貨媒体の媒体カードを前記交換・売却装置の第４挿入口に挿入する第３のカード挿入段階と、
前記媒体カードが挿入された後に、変換を希望する疑似通貨媒体の量を前記会員が前記交換・売却装置に入力したとき、入力された疑似通貨媒体の量を前記媒体カードに記録すると共に前記疑似通貨媒体に該当する貴金属の重量を前記貴金属商サーバの会員口座から差し引く第２精算段階と、
を有することを特徴とする貴金属の預け入れ、及び交換・売却システム。
【請求項２】
前記預入装置は、前記第１判定段階、及び第２判定段階のいずれかの段階で否と判定されたとき、前記地金カードを第１排出口に排出する地金カード排出段階を更に有し、
前記交換・売却装置は、前記第３判定段階で否と判定されたとき、正しい会員識別情報を再度入力するよう表示する段階を更に有することを特徴とする請求項１に記載の貴金属の預け入れ、及び交換・売却システム。
【請求項３】
前記貴金属の交換・売却は、
前記交換・売却装置の第３挿入口に前記会員カードを挿入する第２のカード挿入段階と、
前記交換・売却装置に対し前記会員識別情報を入力する第２の会員識別情報入力段階と、
前記交換・売却装置に入力された会員識別情報と、前記貴金属商サーバに登録されている会員識別情報とを比較して正否を判定する第３判定段階と、
前記第３判定段階で正と判定されたとき、前記貴金属商サーバの会員口座に記録された貴金属の重量をその時の交換レートに基づいて金額に換算する換算段階と、
前記金額が記載されたシートを排出する段階と、
前記金額に応じ、前記貴金属商サーバの会員口座から貴金属の重量を減ずる段階と、
シートに表示された前記金額に基づいて現金に換金する段階と、
を有することを特徴とする請求項１に記載の貴金属の預け入れ、及び交換・売却システム。
【請求項４】
前記交換・売却装置における貴金属から現金、前記疑似通貨媒体への交換レートは、その交換レートが変動する毎に前記貴金属商サーバから前記交換・売却装置に送信されることを特徴とする請求項１に記載の貴金属の預け入れ、及び交換・売却システム。
【請求項５】
前記預入装置は、前記地金カードの情報を読み取り、前記地金カードの情報、入力された会員識別情報を前記貴金属商サーバに送信し、前記地金カード、前記会員識別情報が正しいとの情報を前記貴金属商サーバから受信したとき、前記地金カードを前記ストック部に収納することを特徴とする請求項１に記載の貴金属の預け入れ、及び交換・売却システム。
【請求項６】
前記交換・売却装置は、前記会員カードから読みだした会員番号、及び入力された会員識別情報を貴金属商サーバに送信し、前記会員識別情報が正である情報を前記貴金属商サーバから受信したとき現金を排出し、疑似通貨媒体用の会員番号、及び入力された疑似通貨媒体用の会員識別情報を前記貴金属商サーバに送信し、前記疑似通貨媒体用の会員識別情報が正しいと判断されたとき前記媒体カードに疑似通貨媒体の量を記録することを特徴とする請求項１に記載の貴金属の預け入れ、及び交換・売却システム。
【請求項７】
前記貴金属商サーバは、前記預入装置、交換・売却装置と通信を行い、
会員識別情報の正否を判定する会員情報判定部、貴金属と現金、又は貴金属と疑似通貨媒体の交換レートを保存するレート処理部、会員の貴金属の重量を会員ごとに保管する会員口座を有しているのに加え、預けられた貴金属の現金化指示を前記交換・売却装置に送信し、及び疑似通貨運営システムと通信を行い、疑似通貨媒体への交換指示を前記交換・売却装置に送信することを特徴とする請求項１に記載の貴金属の預け入れ、及び交換・売却システム。
【発明の詳細な説明】
【技術分野】
【０００１】
本発明は、貴金属の預け入れ、及び交換・売却システムに係り、より詳しくは、遊技場で景品として取り扱われる貴金属地金の小塊が組み込まれた地金カードを使用した貴金属の預け入れ、及び交換・売却システムに関する。
【背景技術】
【０００２】
遊技場は、遊技者が獲得した遊技玉等の点数（玉の個数またはメダルの枚数など）に応じて景品を提供する。
近年、遊技者のニーズが多様化しており、遊技場は、様々な景品を用意している。例えば、鞄、香水、時計、またはアクセサリなどのブランド品、タバコまたはコーヒーなどの嗜好品、食器または日用雑貨などの実用品など、様々な景品を用意している。
【０００３】
また、金、銀、および白金などの貴金属地金に興味を持つ遊技者が増えている。特許文献１に記載されるように、景品としての貴金属地金の小塊が組み込まれた、安価なプラスチックカード（以下、地金カードと称す）が用いられており、今後、貴金属地金を含有する景品が盛んに用いられるようになることが考えられる。
【先行技術文献】
【特許文献】
【０００４】
【特許文献１】特許第２９０５２５２号公報
【０００５】
貴金属地金の小塊は換金することができ、換金時期に制限はなく、貴金属の値上がりを待って換金が可能である。
【０００６】
しかしながら、地金カードの長期間の保管には、紛失あるいは盗難の恐れがある。
【発明の概要】
【発明が解決しようとする課題】
【０００７】
本発明は、このような問題点に鑑み、地金カードを使用した容易な貴金属の預け入れ、及び交換・売却システムを提供することを目的とする。
【課題を解決するための手段】
【０００８】
本発明による地金カードを使用した貴金属の預け入れ、及び交換・売却を行うシステムにおいて、
前記貴金属の預け入れ、及び交換・売却は、前記遊技場が管理・運用する景品交換システムとは独立した形態で設けられた預入装置及び交換・売却装置のそれぞれに対して行われ、前記貴金属の預け入れは、前記預入装置の第１挿入口に地金カードを挿入し、第２挿入口に会員カードを挿入する第１のカード挿入段階と、前記預入装置に対し会員識別情報を入力する第１の会員識別情報入力段階と、挿入した地金カードの正否を前記預入装置内の真贋判定部により判定する第１判定段階と、前記預入装置に入力された会員識別情報と、貴金属商に登録されている会員識別情報とを比較して正否を判定する第２判定段階と、前記第１判定段階、及び第２判定段階で正と判定されたとき、前記地金カードの貴金属重量情報を前記貴金属商サーバに登録されている会員の会員口座に加算して記録する段階と、前記加算段階の後、前記地金カードを前記預入装置内のストック部に回収する地金カード回収段階と、を有し、
前記貴金属の交換・売却は、前記交換・売却装置の第３挿入口に前記会員カードを挿入する第２のカード挿入段階と、前記交換・売却装置に対し前記会員識別情報を入力する第２の会員識別情報入力段階と、前記交換・売却装置に入力された会員識別情報と、前記貴金属商に登録されている会員識別情報とを比較して正否を判定する第３判定段階と、前記第３判定段階で正と判定されたとき、前記貴金属商サーバの会員口座に記録された貴金属の重量をその時の交換レートに基づいて金額に換算する換算段階と、換算された金額を前記交換・売却装置が表示する表示段階と、前記表示された金額を現金に変換する第１の選択、又は電子マネー、ポイント、仮想通貨からなる疑似通貨媒体のいずれかの一つに変換する第２の選択の別を前記会員が前記交換・売却装置に入力する交換・売却選択段階と、前記第１の選択がなされた後に売却を希望する金額を前記会員が前記交換・売却装置に入力したとき、入力された金額を排出すると共に金額に該当する貴金属の重量を前記貴金属商の会員口座から差し引く第１精算段階と、前記第２の選択がなされたとき、前記疑似通貨媒体の媒体カードを前記交換・売却装置の第４挿入口に挿入する第３のカード挿入段階と、前記媒体カードが挿入された後に、変換を希望する疑似通貨媒体の量を前記会員が前記交換・売却装置に入力したとき、入力された疑似通貨媒体の量を前記媒体カードに記録すると共に前記疑似通貨媒体に該当する貴金属の重量を前記貴金属商の会員口座から差し引く第２精算段階と、を有することを特徴とする。
【０００９】
前記預入装置は、前記第１判定段階、及び第２判定段階のいずれかの段階で否と判定されたとき、前記地金カードを第１排出口に排出する地金カード排出段階を更に有し、前記交換・売却装置は、前記第３判定段階で否と判定されたとき、正しい会員識別情報を再度入力するよう表示する段階を更に有することを特徴とする。
【００１０】
前記貴金属の交換・売却は、前記交換・売却装置の第３挿入口に前記会員カードを挿入する第２のカード挿入段階と、前記交換・売却装置に対し前記会員識別情報を入力する第２の会員識別情報入力段階と、前記交換・売却装置に入力された会員識別情報と、前記貴金属商サーバに登録されている会員識別情報とを比較して正否を判定する第３判定段階と、前記第３判定段階で正と判定されたとき、前記貴金属商サーバの会員口座に記録された貴金属の重量をその時の交換レートに基づいて金額に換算する換算段階と、売却金額が記載されたシートを排出する段階と、前記売却金額に応じ、前記貴金属商サーバの会員口座から貴金属の重量を減ずる段階とを有することを特徴とする。
【００１１】
前記交換・売却装置における貴金属の現金、前記疑似通貨媒体への交換レートは、その交換レートが変動する毎に前記貴金属商サーバから前記交換・売却装置に送信されることを特徴とする。
【００１２】
本発明による預入装置は、前記地金カードの情報を読み取り、前記地金カードの情報、入力された会員識別情報を前記貴金属商サーバに送信し、前記地金カード、前記会員識別情報が正しいとの情報を前記貴金属商サーバから受信すると、前記地金カードをストック部に収納することを特徴とする。
【００１３】
本発明による交換・売却装置は前記会員カードから読みだした会員番号、及び入力された会員識別情報を貴金属商サーバに送信し、前記会員識別情報が正である情報を前記貴金属商サーバから受信したとき現金を排出し、疑似通貨媒体用の会員番号、及び入力された疑似通貨媒体用の会員識別情報を前記貴金属商サーバに送信し、前記疑似通貨媒体用の会員識別情報が正しいと判断されたとき前記媒体カードに疑似通貨媒体の量を記録することを特徴とする。
【００１４】
本発明による貴金属商サーバは、前記預入装置、交換・売却装置と通信を行い、
会員識別情報の正否を判定する判定部、貴金属と現金、又は貴金属と疑似通貨媒体の交換レートを保存するレート処理部、会員の貴金属の重量を会員ごとに保管する会員口座を有しているのに加え、預けられた貴金属の現金化指示を前記交換・売却装置に送信し、及び疑似通貨運営システムと通信を行い、疑似通貨媒体への交換指示を前記交換・売却装置に送信することを特徴とする。
【発明の効果】
【００１５】
貴金属は、貴金属商の口座に預け入れられているので、紛失、盗難の恐れがなくなる。
【００１６】
ユーザは、容易に貴金属を現金、疑似通貨媒体に交換できる。
【図面の簡単な説明】
【００１７】
【図１】本システムを説明するブロック図である。
【図２】本発明による貴金属の預け入れの手順を示すフローチャートである。
【図３】本発明による貴金属の交換・売却の手順を示すフローチャートである。
【発明を実施するための形態】
【００１８】
図１は本システムを説明するブロック図である。
貴金属の預け入れ、及び交換・売却システム１００は、預入装置２００、交換・売却装置３００、貴金属商サーバ４００、ユーザが所有する地金カード５００、会員カード６００、媒体カード７００によって構成される。
【００１９】
預入装置２００、交換・売却装置３００は、遊技場が管理・運用する景品交換システムから独立した別の形で設置されている。例えば、遊技場、一般店舗を含む店舗内に設置されている。
また、預入装置２００、交換・売却装置３００は、通信回線などにより貴金属商サーバ４００に接続されている。
【００２０】
ユーザは、遊技場において獲得した遊技玉等の点数（玉の個数またはメダルの枚数など）に応じて景品としての貴金属地金の小塊が組み込まれた地金カード５００を入手する。
【００２１】
ユーザは、予め貴金属商の会員に登録し、貴金属を預け入れる貴金属商に会員口座４７０を開設し、会員カード６００を入手する。
【００２２】
図１においては、会員口座４７０が貴金属商サーバ４００に含まれるとして記載したが、貴金属商サーバ４００に接続された他の装置内に配置してもよい。
【００２３】
預入装置２００は、表示部２１０、キーボード２２０、制御部２３０、通信部２４０、地金カード５００用の第１挿入口２５０、地金カード５００の真贋判定部２５１、ストック部２５２、地金カード用の第１排出口２５３、会員カード６００用の第２挿入口２６０、会員カード６００用カードリーダー２６１、会員カード６００用の第２排出口２６２、保存部２７０を含む。ここで、会員カード６００用の第２挿入口２６０は会員カード６００の第２排出口２６２を兼ねてもよい。さらにプリンター等の他の構成要素を含んでもよい。
【００２４】
預入装置２００の表示部２１０は、その操作を助ける文言、絵などを表示する。
【００２５】
預入装置２００のキーボード２２０は、会員識別情報の入力に使用される。ここで、表示部２１０がタッチパネルを含む場合は、キーボード２２０は省略される。
【００２６】
預入装置２００の制御部２３０は、預入装置２００の各構成要素を制御する。
【００２７】
預入装置２００の通信部２４０は、通信回線等を介して、貴金属商サーバ４００の通信部４４０と情報の送受信を行う。
【００２８】
地金カードの真贋判定部２５１は、地金カード５００の情報を読み取り、真贋判定を行う。すなわち、地金カード５００に内蔵されているＩＣタグの情報を読み取り、通信部２４０を介して貴金属商サーバ４００から受信して保存部２７０に保存されている情報と一致するとき、地金カード５００を本物と判定する。
【００２９】
ストック部２５２は、貴金属の重量情報が会員口座４７０に移されると、地金カード５００を回収のため、ストックする。
【００３０】
会員カード６００用カードリーダー２６１は、会員カード６００から会員番号を読み取り、読み取った会員番号を制御部２３０、通信部２４０を介して、貴金属商サーバ４００へ送信する。
【００３１】
保存部２７０は、システムプログラム、真贋判定プログラムなどを保存する。
【００３２】
交換・売却装置３００は、表示部３１０、キーボード３２０、制御部３３０、通信部３４０、会員カード６００用の第３挿入口３５０、会員カード６００用カードリーダー３５１、会員カード６００用の第３排出口３５２、媒体カード７００用の第４挿入口３６０、媒体カード７００用カードリーダー３６１、媒体カード７００用の第４排出口３６２、換算部３７０、プリンター３８０、現金保管部３９０、現金排出口３９１、保存部３９５を含む。ここで、会員カード６００用の第３挿入口３５０は会員カード６００用の第３排出口３５２を兼ねてもよく、媒体カード７００用の第４挿入口３６０は媒体カード７００用の第４排出口３６２を兼ねてもよい。
【００３３】
交換・売却装置３００の表示部３１０は、その操作を助ける文言、絵などを表示する。
【００３４】
交換・売却装置３００のキーボード３２０は、会員識別情報の入力、交換・売却する貴金属の重量等の入力に使用される。ここで、表示部３１０がタッチパネルを含む場合は、キーボード３２０は省略される。また、交換・売却操作を中断するキーを含んでもよい。
【００３５】
交換・売却装置３００の制御部３３０は、交換・売却装置３００の各構成要素を制御する。
【００３６】
交換・売却装置３００の通信部３４０は、通信回線等を介して、貴金属商サーバ４００の通信部と情報の送受信を行う。
【００３７】
会員カード６００用カードリーダー３５１は、会員カード６００から会員番号を読み取り、読み取った情報を制御部３３０、通信部３４０を介して、貴金属商サーバ４００へ送信する。
【００３８】
媒体カード７００用カードリーダー３６１は、媒体カード７００から疑似通貨媒体の会員番号を読み取り、読み取った会員番号を制御部３３０、通信部３４０を介して、貴金属商サーバ４００へ送信する。
【００３９】
換算部３７０は、貴金属商サーバ４００から送付された貴金属と現金、又は貴金属と電子マネー、ポイント、仮想通貨等からなる疑似通貨媒体との交換レートに基づき、貴金属の重量に対する金額、疑似通貨媒体量を計算し、表示部３１０に表示させる。
【００４０】
プリンター３８０は、現金の保管、排出機能を有さない交換・売却装置３００に含まれ、交換された貴金属量に対応する金額をシートとして出力する。
【００４１】
現金保管部３９０は制御部３３０の指示に基づき、現金を現金排出口３９１から排出する。
【００４２】
保存部３９５は、システムプログラムなどを保存する。
【００４３】
貴金属商サーバ４００は、表示部４１０、キーボード４２０、制御部４３０、通信部４４０、会員情報判定部４５０、レート処理部４６０、会員口座４７０、保存部４８０を含む。
【００４４】
貴金属商サーバ４００の表示部４１０は、貴金属商サーバ４００と、預入装置２００、交換・売却装置３００との送受信の状況を表示する。
また、貴金属と現金、又は貴金属と疑似通貨媒体の交換レートの入力モードや、システムの変更が必要になった場合、必要事項を表示する。
【００４５】
貴金属商サーバ４００のキーボード４２０は、例えば、貴金属と現金、又は貴金属と疑似通貨媒体の交換レートの変更が必要になった場合や、システムの変更が必要になった場合の入力に使用される。
【００４６】
貴金属商サーバ４００の制御部４３０は、貴金属商サーバ４００の各構成要素を制御する。
【００４７】
貴金属商サーバ４００の通信部４４０は、預入装置２００、交換・売却装置３００との情報の送受信を行う。また、交換・売却に疑似通貨媒体が選択された場合、疑似通貨運営システム８００との通信を行う。
【００４８】
会員情報判定部４５０は、預入装置２００、交換・売却装置３００から送付された会員識別番号により、会員番号に基づき、登録済の会員識別番号と比較して判定を行う。
【００４９】
レート処理部４６０は、貴金属と現金、又は貴金属と疑似通貨媒体の交換レートを保存し、通信部４４０を介して交換・売却装置３００に送信する。
【００５０】
会員口座４７０は会員別に設けられ、各会員が預け入れている貴金属の重量の記録、保存を行う。
【００５１】
保存部４８０は、システムプログラム、会員識別情報などを保存する。
【００５２】
図２は、本発明による貴金属の預け入れの手順を示すフローチャートである。以下、図２を参照して、貴金属の預け入れの手順を説明する。
【００５３】
ユーザが、預入装置２００の第１挿入口２５０に地金カード５００を挿入し、第２挿入口２６０に会員カード６００を挿入することにより、貴金属の預け入れが開始される。（Ｓ２０１段階）
【００５４】
続いて、ユーザは、預入装置２００に会員識別情報をキーボード２２０により入力する。（Ｓ２０２段階）
【００５５】
預入装置２００内の真贋判定部２５１は、挿入された地金カード５００の正否を判定する。（Ｓ２０３段階）
【００５６】
Ｓ２０３段階において、地金カード５００が正と判定された場合、キーボード２２０により入力された会員識別情報と、貴金属商サーバ４００に登録されている会員識別情報とを比較して合致するかを判定する。（Ｓ２０４段階）
【００５７】
Ｓ２０３段階、Ｓ２０４段階のいずれかの段階で否と判定された場合は、地金カード５００を預入装置２００の第１排出口２５３に排出する。（Ｓ２０５段階）
【００５８】
Ｓ２０４段階において、入力された会員識別情報と、貴金属商サーバ４００に登録されている会員識別情報とが合致した場合、地金カード５００の貴金属の重量情報を前記貴金属商に登録されている会員口座４７０に加算し、記録する。（Ｓ２０６段階）
【００５９】
この時、加算前の会員口座４７０に記録されている貴金属の重量情報は、地金カード５００から変換された以外の貴金属の重量であってもよい。即ち、購入した貴金属の重量であってもよい。
【００６０】
預入装置２００は、Ｓ２０６段階の後、地金カード５００を預入装置２００内のストック部２５２に回収して貴金属の預け入れが終了する。（Ｓ２０７段階）
【００６１】
図３は、本発明による貴金属の交換・売却の手順を示すフローチャートである。以下、図３を参照して、貴金属の交換・売却の手順を説明する。
【００６２】
ユーザが、交換・売却装置３００の第３挿入口３５０に会員カード６００を挿入することにより、貴金属の交換・売却が開始される。（Ｓ３０１段階）
【００６３】
続いて、ユーザは、交換・売却装置３００に対し前記会員識別情報をキーボード３２０により入力する。（Ｓ３０２段階）
【００６４】
貴金属商サーバ４００の会員情報判定部４５０は、入力された会員識別情報と、貴金属商サーバ４００に登録されている会員識別情報とを比較して合致するかを判定する。（Ｓ３０３段階）
【００６５】
入力された会員識別情報と、貴金属商サーバ４００に登録されている会員識別情報とが合致しない場合、交換・売却装置３００は、表示部３１０に正しい会員識別情報を再度入力するよう表示し（Ｓ３０４段階）、Ｓ３０２段階に戻る。
【００６６】
入力された会員識別情報と、貴金属商サーバ４００に登録されている会員識別情報とが合致した場合、貴金属商サーバ４００の会員口座４７０に記録された貴金属の重量をその時の交換レートに基づいて金額に換算する。（Ｓ３０５段階）
【００６７】
続けて、交換・売却装置３００は換算された金額を表示する。（Ｓ３０６段階）
【００６８】
続けて、ユーザは、現金に変換するか、電子マネー、ポイント、仮想通貨からなる疑似通貨媒体のいずれか一つに変換するかを交換・売却装置３００のキーボード３２０により入力する。（Ｓ３０７段階）
【００６９】
ユーザが現金を希望する場合、希望する金額を交換・売却装置３００に入力し、交換・売却装置３００が入力された金額を排出すると共に、貴金属商サーバ４００は金額に該当する貴金属の重量を前記貴金属商サーバ４００の会員口座４７０から差し引いて（Ｓ３０８段階）、交換・売却が終了する。
【００７０】
一方、疑似通貨媒体のいずれかの一つに変換することを選択した場合は、さらに疑似通貨媒体の媒体カード７００を交換・売却装置３００の第４挿入口３６０に挿入する。（Ｓ３０９段階）
【００７１】
変換を希望する疑似通貨媒体の量、及び疑似通貨媒体用の会員識別情報をユーザが交換・売却装置３００にキーボード３２０により入力すると、貴金属商サーバ４００は、疑似通貨運営システム８００にカードリーダ３６１により読みだした疑似通貨媒体用の会員番号、疑似通貨媒体用の会員識別情報を送信する。
その後、入力された疑似通貨媒体の量を媒体カード７００に記録すると共に疑似通貨媒体に該当する貴金属の重量を貴金属商の会員口座４７０から差し引き（Ｓ３１０段階）、交換・売却が終了する。
【００７２】
ここで、交換・売却装置３００が現金の蓄積、排出機能を有さず、現金化を希望された場合、交換・売却装置３００は、売却金額が記載されたシートを排出し、貴金属商サーバ４００は前記売却金額に応じ、貴金属商に登録済の会員口座４７０から貴金属の重量を減ずる。
ユーザは売却金額が記載された前記シートを交換・売却装置３００が設置された店舗の従業員に提示して現金を受け取る。
【００７３】
貴金属の相場は変動するので、交換・売却に関しては貴金属から現金、疑似通貨媒体への交換レートは、変動した交換レートが決まるごとに貴金属商から交換・売却装置３００に送信される。
【符号の説明】
【００７４】
１００  預け入れ、及び交換・売却システム
２００  預入装置
２１０、３１０、４１０  表示部
２２０、３２０、４２０  キーボード
２３０、３３０、４３０  制御部
２４０、３４０、４４０  通信部
２５０  第１挿入口
２５１  真贋判定部
２５２  ストック部
２５３  第１排出口
２６０  第２挿入口
２６１、３５１、３６１  カードリーダ
２６２  第２排出口
２７０、３９５、４８０  保存部
３００  交換・売却装置
３５０  第３挿入口
３５２  第３排出口
３６０  第４挿入口
３６２  第４排出口
３７０  換算部
３８０  プリンター
３９０  現金保管部
３９１  現金排出口
４００  貴金属商サーバ
４５０  会員情報判定部
４６０  レート処理部
４７０  会員口座
５００  地金カード
６００  会員カード
７００  媒体カード
８００  疑似通貨運営システム
【図１】
2018198859.tif 000003
【図２】
2018198859.tif 000004
【図３】
2018198859.tif 000005